(57)【要約】      （修正有）【課題】冷蔵庫から放射線が拡散することを防止できる冷蔵庫を提供する。【解決手段】冷蔵庫１０のキャビネット１２内部に収納された食品からの放射線がキャビネット１２の外部に拡散することを防止するため、銅製の防露パイプ４４または補強板をキャビネット１２の壁内部に設け、水散布による除染手段および放射線測定の検知手段と報知手段をさらに有する。【選択図】図４
2013181670.tif 000002
【特許請求の範囲】
【請求項１】
冷蔵庫のキャビネット内部に収納された貯蔵物から放射される放射線が、前記キャビネット外部に拡散することを防止する拡散防止手段を有する、
冷蔵庫。
【請求項２】
前記拡散防止手段が銅製である、
請求項１に記載の冷蔵庫。
【請求項３】
前記拡散防止手段が、前記キャビネットの壁内部に設けられた防露パイプである、
請求項１又は２に記載の冷蔵庫。
【請求項４】
前記拡散防止手段が、前記キャビネットにある貯蔵室の扉内部に設けられた補強板である、
請求項１又は２に記載の冷蔵庫。
【請求項５】
前記冷蔵庫の蒸発器から発生した除霜水を溜める貯水部が銅で覆われている、
請求項１乃至４のいずれか一項に記載の冷蔵庫。
【請求項６】
前記貯蔵物に水を散布して放射線の除染を行う除染手段をさらに有し、
前記散布した水を前記貯水部に溜める、
請求項５に記載の冷蔵庫。
【請求項７】
放射線測定手段と、前記放射線測定手段によって測定した放射線の量を報知する報知手段とをさらに有した、
請求項１乃至６のいずれか一項に記載の冷蔵庫。
【請求項８】
前記放射線測定手段の検知手段が、前記冷蔵庫の扉に設けられている、
請求項７に記載の冷蔵庫。
【請求項９】
前記検知手段が、前記扉の側面に設けられている、
請求項８に記載の冷蔵庫。
【請求項１０】
前記放射線測定手段の検知手段が、前記キャビネット内部に設けられている、
請求項７に記載の冷蔵庫。
【請求項１１】
前記検知手段が、前記キャビネット内部の収納容器に隣接した位置に設けられている、
請求項１０に記載の冷蔵庫。
【発明の詳細な説明】
【技術分野】
【０００１】
本発明の実施形態は、冷蔵庫に関するものである。
【背景技術】
【０００２】
従来より、食品からの放射線を測定する手段としては、放射線遮蔽容器内部の食品の微量な放射線を測定する放射線測定器、食品の表面に付着した放射性物質を検出する携帯型の放射線測定器がある。
【先行技術文献】
【特許文献】
【０００３】
【特許文献１】特開２００９−２５００５号公報
【発明の概要】
【発明が解決しようとする課題】
【０００４】
しかし、上記のような放射線測定器は、食品からの放射線の量を測定できるが、誤って放射能を帯びた食品を冷蔵庫に収納すると、その食品から冷蔵庫外部に放射線が拡散するという問題点がある。
【０００５】
そこで、本実施形態は上記問題点に鑑み、冷蔵庫から放射線が拡散することを防止できる冷蔵庫を提供することを目的とする。
【課題を解決するための手段】
【０００６】
本実施形態は、冷蔵庫のキャビネット内部に収納された貯蔵物から放射される放射線が、前記キャビネット外部に拡散することを防止する拡散防止手段を有する、冷蔵庫である。
【図面の簡単な説明】
【０００７】
【図１】実施形態の冷蔵庫の縦断面図である。
【図２】冷蔵庫の冷凍サイクルの図である。
【図３】冷蔵室の右扉を開けた状態の斜視図である。
【図４】キャビネットに設けられている除霜パイプを斜視図的に示した図である。
【図５】扉の縦断面図である。
【図６】冷蔵庫の電気的構成を示すブロック図である。
【発明を実施するための形態】
【０００８】
以下、本発明の一実施形態の冷蔵庫１０について図１〜図６に基づいて説明する。
【０００９】
（１）冷蔵庫１０の構造
冷蔵庫１０の構造について図１に基づいて説明する。図１は、冷蔵庫１０の縦断面図である。
【００１０】
冷蔵庫１０のキャビネット１２は、外箱と内箱より構成され、その間に真空断熱パネルが配されると共に、断熱材が充填された断熱箱体である。キャビネット１２内部は、上段から順番に冷蔵室１４、野菜室１６、小型冷凍室１８、冷凍室２０に区画され、小型冷凍室１８の横には不図示の製氷室が設けられている。冷蔵室１４と野菜室１６によって冷蔵空間が構成され、小型冷凍室１８、製氷室、冷凍室２０から冷凍空間が構成され、冷蔵空間と冷凍空間の間は水平な断熱仕切体２２によって仕切られている。冷蔵室１４の前面には、観音開き式の扉１４ａ，１４ｂが配され、野菜室１６、小型冷凍室１８、製氷室、冷凍室２０の前面開口部には、引出し式の扉１６ａ，１８ａ，２０ａが配されている。
【００１１】
冷蔵室１４の観音開き式の左側の扉１４ａには、ユーザが操作するための操作パネル６２が設けられている。この操作パネル６２には、スイッチ以外に表示部６４とスピーカ６６が設けられている。
【００１２】
冷凍室２０の背面には機械室２４が設けられ、この機械室２４の内部には、圧縮機２６が設けられている。
【００１３】
冷蔵室１４の背面下部には、冷蔵用蒸発器（以下、「Ｒエバ」という）２８が設けられ、その下方には冷蔵用ファン（以下、「Ｒファン」という）３０が設けられている。冷凍室２０の背面上部には、冷凍用蒸発器（以下、「Ｆエバ」という）３２が設けられ、その上方には冷凍用ファン（以下、「Ｆファン」という）３４が設けられている。
【００１４】
機械室２４の背面上部には、制御基板３６が配されている。機械室２４の内部であって、圧縮機２６の横には、除霜水を溜めるための貯水部３８が設けられ、Ｆエバ３２の下方に設けられた除霜水の受け部８６から排水路８８を通って貯水部３８に除霜水が至り、また、Ｒエバ２８の下方に設けられた除霜水の受け部９０から排水路９２を経て貯水部３８に除霜水が流れる。この貯水部３８については後から詳しく説明する。
【００１５】
（２）冷凍サイクル４０の構造
次に、冷蔵庫１０の冷凍サイクル４０の構造について、図２に基づいて説明する。
【００１６】
圧縮機２６の下流側には、凝縮器４２が接続され、凝縮器４２の下流側には防露パイプ４４が接続され、防露パイプ４４の下流側には三方弁４６が接続されている。三方弁の第１の出口には、冷蔵用キャピラリチューブ（以下、「Ｒキャピラリチューブ」という）４８とＲエバ２８が接続されている。また、三方弁４６の第２の出口には、冷凍用キャピラリチューブ（以下、「Ｆキャピラリチューブ」という）５０とＦエバ３２が接続されている。Ｒエバ２８の下流側には、冷蔵用アキュムレータ５２が接続され、Ｆエバ３２の下流側には、冷凍用アキュムレータ５４と逆止弁５６とが順番に接続されている。逆止弁５６からの流路と冷蔵用アキュムレータ５２からの流路が一つになり、その後にサクションパイプ５８を経て圧縮機２６に循環している。
【００１７】
この冷凍サイクル４０において、圧縮機２６が冷媒を圧縮して、高温高圧の気体状の冷媒に変化し、凝縮器４２、防露パイプ４４で放熱しながら液体状の冷媒となる。液体状の冷媒は、三方弁４６によってＲキャピラリチューブ４８、又は、Ｆキャピラリチューブ５０に送られ、Ｒキャピラリチューブ４８又はＦキャピラリチューブ５０で気化し易いように減圧され、Ｒエバ２８、又は、Ｆエバ３２で気化し、周囲から熱を奪う。周囲から熱を奪った冷媒は、各アキュムレータ５２，５４にそれぞれ流れ、気液混合体状の冷媒を気体状の冷媒と液体状の冷媒とにそれぞれ分離されて、気体状の冷媒のみがサクションパイプ５８を通って圧縮機２６へ戻り、再び圧縮され高温高圧の気体状の冷媒となる。
【００１８】
制御基板３６に設けられた制御部６０が、冷凍サイクル４０を用いて冷蔵室１４と野菜室１６を冷却する冷蔵運転と、製氷室と小型冷凍室１８と冷凍室２０とを冷却する冷凍運転を交互に行う。
【００１９】
（３）放射線の測定手段
次に、冷蔵庫１０において、食品から出る放射線の測定手段である放射線測定器６８〜７５について図１及び図３に基づいて説明する。なお。放射線測定器６８〜７５は、例えばガイガーミュラー管よりなる測定器である。
【００２０】
冷蔵室１４の観音開き式の左側の扉１４ａの前面には、放射線測定器６８が設けられている。左扉１４ａの側面であって、右扉１４ｂと相対向する部分にも放射線測定器７０が設けられている。
【００２１】
野菜室１６の引出し式扉１６ａの前面にも放射線測定器７２が設けられ、扉１６ａの上面にも放射線測定器７４が設けられている。小型冷凍室１８、製氷室、冷凍室２０の引出し式扉１８ａ，２０ａにも、扉１６ａと同様に扉の前面と上面に放射線測定器が設けられている。
【００２２】
冷蔵室１４内部の下部背面、すなわち、冷蔵室１４の収納容器８４に隣接した位置にも、放射線測定器７５が設けられている。
【００２３】
制御部６０は、各放射線測定器６８〜７５が測定した放射線の量が、予め定めた許容値を超えた場合、操作パネル６２にある表示部６４（すなわち、報知手段である）に警告表示をするか、スピーカ６６（すなわち、報知手段である）で警告音を発するか、また、庫内灯（すなわち、報知手段である）を赤色に点灯させる。各放射線測定器６８〜７５の詳しい動作については後から説明する。
【００２４】
（４）放射線の拡散防止手段
次に、冷蔵庫１０内部に収納した貯蔵物（すなわち、食品）から放射される放射線が、冷蔵庫１０の外部に拡散するのを防止する手段について図４と図５に基づいて説明する。図４は、冷蔵庫１０のキャビネット１２に設けられている防露パイプ４４と貯水容器３８を図示したものであり、図５は、扉１４ａの縦断面図である。
【００２５】
防露パイプ４４が放射線の第１の拡散防止手段であり、防露パイプ４４は、銅によって形成され、図４に示すようにキャビネット１２の背面内部、天井面内部、両側面内部、前面内部にそれぞれ配置され、冷蔵庫１０を全て覆っている。また、防露パイプ４４の内部には前記したように高温高圧の冷媒が流れる。銅は、放射線の拡散するのを防止する性質を有するため、キャビネット１２を銅製の防露パイプ４４で覆うことにより、冷蔵庫１０内部に収納された放射能を帯びた食品からの放射線が庫外に拡散しない。
【００２６】
機械室２４内部の貯水部３８が、放射線の第２の拡散防止手段である。冷蔵庫１０内部に放射能を帯びた食品が収納された場合には、冷気の循環によりＲエバ２８やＦエバ３２に付着した霜が放射能を帯びている可能性がある。そのため、この霜が溶けた除霜水を溜める貯水部３８は、タンク状であって、銅より形成されている。タンク状であるため放射線を帯びた除霜水が貯水部３８外部に漏れることがなく、また、銅製であるため放射線も外部に拡散しない。
【００２７】
扉１４ａは、図５の縦断面図に示すように、合成樹脂製の扉外側板１２１、真空断熱パネル１２２、銅製の補強板１２３、発泡ウレタン１２４、合成樹脂製の扉内側板１２５より構成されている。補強板１２３は、ウレタン発泡時に扉外側板１２１、真空断熱パネル１２２、扉内側板１２５が歪むのを防止するために設けたものであり、この補強板１２３が第３の拡散防止手段である。すなわち、補強板１２３を銅製にして、放射線の拡散防止手段の役割を持たせる。他の扉１４ｂ〜２０ａも同様に銅製の補強板１２３を配置する。これにより、扉１４ａ〜２０ａ側からも放射線が拡散するのを防止できる。
【００２８】
（５）除染部８２
次に、冷蔵庫１０内部に収納された食品を除染する除染部８２について図１に基づいて説明する。除染部８２は、散水パイプ７６により水を食品に散布して除染する。
【００２９】
冷蔵室１４及び野菜室１６の両側面内部には、それぞれ水平方向に散水パイプ７６が配管されている。散水パイプ７６には所定間隔毎に散水孔７８が開口している。散水パイプ７６は、製氷室に水を供給するための貯水タンク８０から不図示のポンプによって水が供給され、冷蔵室１４及び野菜室１６内部の食品に向かって散水孔７８から水を散布する。食品にこの水が当たると、表面に付着した放射性物質を除去できる。
【００３０】
散布した後の水は放射能を帯びているため、除霜水と同様に機械室２４に配置されている貯水部３８に流れる。
【００３１】
（６）冷蔵庫１０の電気的構成
次に、冷蔵庫１０の電気的構成について、図６のブロック図に基づいて説明する。
【００３２】
制御基板３６に設けられている制御部６０には、圧縮機２６、Ｒファン３０、Ｆファン３４、操作パネル６２が接続されている。また、制御部６０には左扉１４ａに取り付けられた放射線測定器６８，７０、その他の扉に取り付けられた放射線測定器７２，７４、冷蔵室１４内の放射線測定器７５も接続されている。さらに、制御部６０には、上記したように散水パイプ７６から水を散布するためのポンプなどよりなる除染部８２も接続されている。なお、放射線測定器６８〜７５は、冷蔵庫１０の電源によって駆動している。
【００３３】
（７）冷蔵庫１０の動作状態
次に、放射線測定器６８〜７５の動作状態について説明する。
【００３４】
左扉１４ａの前面や野菜室１６の扉１６ａの前面などに設けられた放射線測定器６８，７２は、冷蔵庫１０に収納する前の食品や調理する食品を、ユーザが扉１４ａ，１６ａに近づけると、放射線の量を測定する。放射線測定器６８，７２で測定した放射線の量が、許容値を超えた場合、制御部６０は、操作パネル６２にある表示部６４に警告を表示すると共に、スピーカ６６で警告音を発する。そのため、ユーザが、放射能によって汚染された食品を飲食することを防止できる。
【００３５】
また、ユーザが扉１４ａを開けて放射能を帯びた食品を冷蔵室１４に入れるときに、左扉１４ａの側面に設けられた放射線測定器７０の近傍を通るため、放射線測定器７０は、この放射線の量を測定する。また、野菜室１６の扉１６ａや他の扉の上面に設けられた放射線測定器７４も、ユーザが扉を開けて放射能を帯びた食品を庫内に入れるときに、この放射線測定器７４の近傍を通るため、放射線測定器７４が、この放射線の量を測定する。放射線測定器６８，７４で測定した放射線の量が、許容値を超えた場合、制御部６０は、操作パネル６２にある表示部６４に警告表示をすると共に、スピーカ６６で警告音を発する。また、庫内灯を赤色に点灯させてもよい。
【００３６】
また、放射能を帯びた食品が発する放射線の量が微量であって庫外に設けられた放射線測定器６８〜７４が測定できなくても、冷蔵室１４内部に設けられた放射線測定器７５は、庫内に収納された食品に対し長時間かけて測定できるため、食品が発する微量な放射線の量を正確に測定できる。その場合も放射線測定器７５で測定した放射線の量が、許容値を超えた場合、制御部６０は、操作パネル６２にある表示部６４に警告表示をすると共に、スピーカ６６で警告音を発する。また、庫内灯を赤色に点灯させてもよい。
【００３７】
さらに、放射能を帯びた食品をキャビネット１２内部に収納しても、上記したようにキャビネット１２が銅製の防露パイプ４４によって覆われているため、放射線が外部に拡散するのを防止できる。
【００３８】
また、放射能を帯びた除霜水は銅製の貯水部３８に溜まるため、この貯水部３８から放射線が拡散しない。
【００３９】
また、扉内部の補強板１２３を銅製にして、扉１４ａ〜２０ａ側からも放射線が拡散のを防止できる。
【００４０】
また、除染部８２によって冷蔵室１４や野菜室１６に収納された食品を水によって除染できる。この除染によって発生した水は上記した貯水部３８に溜まるため、放射線が拡散しない。
【００４１】
（８）効果
本実施形態によれば、銅製の防露パイプ４４によってキャビネット１２全体が覆われているため、キャビネット１２内部に放射能を帯びた食品を収納しても、放射線が庫外に拡散しない。
【００４２】
また、除霜水や除染した水は銅製の貯水部３８に溜まるため、放射能を帯びた水から放射線が拡散しない。
【００４３】
また、扉に設けた放射線測定器によって、食品の放射線の量を測定できるため、ユーザが放射線測定器を別途購入したり、放射線測定器の場所を確保したり、電源を確保する必要がない。
【００４４】
また、除染部８２によって、キャビネット１２内部に収納された食品の除染ができる。
【００４５】
（９）変更例
上記実施形態では、放射線の拡散を防止するため防露パイプ４４と貯水部３８を銅製にしたが、放射線の拡散を防止できる性質があれば、銅以外の材料を用いてもよい。
【００４６】
また、上記実施形態では、除染部８２において、貯水タンク８０の水を用いて除染を行ったが、除染を行うためのタンクを別途設けてもよい。
【００４７】
また、上記実施形態では、キャビネット１２から放射線の拡散を防止するため銅製の防露パイプ４４を設けたが、これ以外にキャビネット１２を銅板で覆ってもよく、また、食品の収納容器等も銅で製造してもよい。
【００４８】
また、上記実施形態では、除染部８２は、水を食品に散布して除染を行ったが、水を散布する以外の方法で除染を行ってもよい。
【００４９】
また、上記実施形態では、放射線測定器を扉１４ａ内部に設けたが放射線測定器６８全てを左扉１４ａに設ける必要はなく、放射線測定器６８の検知手段だけ左扉１４ａ内部に設け、放射線測定器６８の本体は、キャビネット１２内部に設けてもよい。また、放射線測定器６８〜７５の測定結果は、許容量を超えなくても、操作パネル６２の表示部６４にデジタル表示してもよい。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５１】
１０・・・冷蔵庫、１２・・・キャビネット、１４・・・冷蔵室、１４ａ・・・左扉、４４・・・防露パイプ、６２・・・操作パネル、６４・・・表示部、６６・・・スピーカ、６８〜７５・・・放射線測定器、７６・・・散水パイプ、７８・・・散水孔、８２・・・除染部、１２３・・・補強板
【図１】
2013181670.tif 000003
【図２】
2013181670.tif 000004
【図３】
2013181670.tif 000005
【図４】
2013181670.tif 000006
【図５】
2013181670.tif 000007
【図６】
2013181670.tif 000008